(57)【要約】【課題】  非使用時にフットコントローラ及びフットコントローラ設置部が邪魔にならず、フットコントローラ設置部を紛失するおそれがない医療用ユニットを提供する。【解決手段】  医療用ユニット１Ａは、フットコントローラ３０Ａと、ユニット本体１０Ａと、ユニット本体１０Ａに上下に回動可能に連結されたフットコントローラ設置部２０Ａと、を備え、フットコントローラ３０Ａの使用状態では、フットコントローラ設置部２０Ａの一面が床面に接地し、フットコントローラ３０Ａがフットコントローラ設置部２０Ａの他面上に設置される。【選択図】図１
2008161440.tif 000002
【特許請求の範囲】
【請求項１】
フットコントローラを備えた医療用ユニットであって、
ユニット本体と、
前記ユニット本体に、上下に回動可能に連結されたフットコントローラ設置部と、
を備え、
前記フットコントローラの使用状態では、前記フットコントローラ設置部の一面が床面に接地し、前記フットコントローラが、前記フットコントローラ設置部の他面上に設置されることを特徴とする医療用ユニット。
【請求項２】
前記フットコントローラまたは当該フットコントローラに接続されたケーブルを係止する係止部をさらに備え、
前記フットコントローラの非使用状態では、前記フットコントローラ設置部の前記他面が前記ユニット本体の一面に対向し、前記フットコントローラが、前記フットコントローラまたは前記ケーブルが前記係止部に係止された状態で、前記フットコントローラ設置部の前記一面に対向することを特徴とする請求項１に記載の医療用ユニット。
【請求項３】
前記ユニット本体は、前記ユニット本体の一面に開口を有するフットコントローラ収容部を備え、
前記フットコントローラの非使用状態では、前記フットコントローラ設置部が前記フットコントローラを設置した状態で上方に回動されることにより、前記フットコントローラが前記フットコントローラ収容部に収容されることを特徴とする請求項１に記載の医療用ユニット。
【請求項４】
前記フットコントローラの非使用状態において、前記フットコントローラ設置部と前記ユニット本体とを固定する固定機構をさらに備えたことを特徴とする請求項３に記載の医療用ユニット。
【請求項５】
前記ユニット本体は、床面に接地するキャスターを備えており、
前記フットコントローラ設置部が前記フットコントローラの使用状態における位置よりも下方に回動するのを規制するストッパをさらに備えたことを特徴とする請求項１から請求項４のいずれか一項に記載の医療用ユニット。
【請求項６】
前記ユニット本体は、床面に接地するキャスターを備えており、
前記フットコントローラ設置部の床面と接地する部位は、摺動材料から形成されていることを特徴とする請求項１から請求項４のいずれか一項に記載の医療用ユニット。
【請求項７】
前記フットコントローラ設置部は、左右に回動可能であることを特徴とする請求項１から請求項６のいずれか一項に記載の医療用ユニット。
【請求項８】
前記ユニット本体は、歯科診療用装置であることを特徴とする請求項１から請求項４のいずれか一項に記載の医療用ユニット。
【請求項９】
フットコントローラを備えた医療用ユニットを設置可能な設置台であって、
前記医療用ユニットの本体を設置可能な設置台本体と、
前記設置台本体に、上下に回動可能に連結されたフットコントローラ設置部と、
を備え、
前記フットコントローラの使用状態では、前記フットコントローラ設置部の一面が床面に接地し、前記フットコントローラが、前記フットコントローラ設置部の他面上に設置されることを特徴とする設置台。
【発明の詳細な説明】
【技術分野】
【０００１】
本発明は、医療用レーザ装置などの医療用ユニット及び医療用ユニットが設置される設置台に関し、より詳細には、フットコントローラを備えた医療用ユニット及び設置台に関する。
【背景技術】
【０００２】
医療用レーザ装置などの医療用ユニットとして、フットコントローラ（フットスイッチ、フットペダルともいう）を備えた医療用ユニットが利用されている。
このようなフットコントローラを備えた医療用ユニットを使用する際には、ユーザは、フットコントローラを設置するための設置用板を医療用ユニットのユニット本体に組み付け、その上にフットコントローラを設置していた（特許文献１参照）。
【特許文献１】特開平１１−４７１６１号公報（段落００１６、図１）
【発明の開示】
【発明が解決しようとする課題】
【０００３】
しかし、フットコントローラの非使用時には、設置用板をユニット本体に組み付けたままでは邪魔になってしまう。また、設置用板をユニット本体から外すと、紛失してしまうおそれがある。
【０００４】
そこで、本発明は、前記した問題を解決するために創案されたものであり、非使用時にフットコントローラ及びフットコントローラ設置部が邪魔にならず、フットコントローラ設置部を紛失するおそれがない医療用ユニット及び設置台を提供することを課題とする。
【課題を解決するための手段】
【０００５】
前記課題を解決するための請求項１に記載の発明は、フットコントローラを備えた医療用ユニットであって、ユニット本体と、前記ユニット本体に、上下に回動可能に連結されたフットコントローラ設置部と、を備え、前記フットコントローラの使用状態では、前記フットコントローラ設置部の一面が床面に接地し、前記フットコントローラが、前記フットコントローラ設置部の他面上に設置されることを特徴とする。
【０００６】
かかる構成によると、フットコントローラの非使用状態では、フットコントローラ設置部は、上方に回動される。したがって、非使用時にフットコントローラ及びフットコントローラ設置部が邪魔にならず、フットコントローラ設置部を紛失するおそれがない。
【０００７】
また、請求項２に記載の発明は、請求項１に記載の医療用ユニットであって、前記フットコントローラまたは当該フットコントローラに接続されたケーブルを係止する係止部をさらに備え、前記フットコントローラの非使用状態では、前記フットコントローラ設置部の前記他面が前記ユニット本体の一面に対向し、前記フットコントローラが、前記フットコントローラまたは前記ケーブルが前記係止部に係止された状態で、前記フットコントローラ設置部の前記一面に対向することを特徴とする。
【０００８】
かかる構成によると、フットコントローラの非使用状態では、フットコントローラがフットコントローラ設置部の下方への回動を規制する。したがって、フットコントローラ設置部が下方へ回動して邪魔になることを防ぐことができる。
【０００９】
また、請求項３に記載の発明は、請求項１に記載の医療用ユニットであって、前記ユニット本体は、前記ユニット本体の一面に開口を有するフットコントローラ収容部を備え、前記フットコントローラの非使用状態では、前記フットコントローラ設置部が前記フットコントローラを設置した状態で上方に回動されることにより、前記フットコントローラが前記フットコントローラ収容部に収容されることを特徴とする。
【００１０】
かかる構成によると、フットコントローラ設置部を上方へ回動させることにより、フットコントローラを収容することができる。したがって、フットコントローラを容易に収容することができる。
【００１１】
また、請求項４に記載の発明は、請求項３に記載の医療用ユニットであって、前記フットコントローラの非使用状態において、前記フットコントローラ設置部と前記ユニット本体とを固定する固定機構をさらに備えたことを特徴とする。
【００１２】
かかる構成によると、フットコントローラの非使用状態においてフットコントローラ設置部を固定することができる。また、固定機構としてプッシュロック機構を用いる場合には、フットコントローラ設置部を押すだけでフットコントローラの使用状態となる。したがって、フットコントローラ設置部の操作が容易となる。
【００１３】
また、請求項５に記載の発明は、請求項１から請求項４のいずれか一項に記載の医療用ユニットであって、前記ユニット本体は、床面に接地するキャスターを備えており、前記フットコントローラ設置部が前記フットコントローラの使用状態における位置よりも下方に回動するのを規制するストッパをさらに備えたことを特徴とする。
【００１４】
かかる構成によると、ユーザは、フットコントローラ側のキャスターを浮かせることにより、フットコントローラ設置部を床面から浮かせることができる。したがって、フットコントローラの使用状態のままであっても、フットコントローラ設置部を浮かせた状態での医療用ユニットのスムーズな移動が実現される。
【００１５】
また、請求項６に記載の発明は、請求項１から請求項４のいずれか一項に記載の医療用ユニットであって、前記ユニット本体は、床面に接地するキャスターを備えており、前記フットコントローラ設置部の床面と接地する部位は、摺動材料から形成されていることを特徴とする。
【００１６】
摺動材料は、床面との接触において高い摺動性を発揮する材料であり、例えば、ＰＯＭ。ＰＴＦＥ、ＰＦＡ等の樹脂である。かかる構成によると、フットコントローラ設置部と床面との滑り性が向上する。したがって、フットコントローラ設置部を浮かせなくても、医療用ユニットのスムーズな移動が実現される。
【００１７】
また、請求項７に記載の発明は、請求項１から請求項６のいずれか一項に記載の医療用ユニットであって、前記フットコントローラ設置部は、左右に回動可能であることを特徴とする。
【００１８】
かかる構成によると、フットコントローラをユーザの所望する向きとすることができる。
【００１９】
また、請求項８に記載の発明は、請求項１から請求項４のいずれか一項に記載の医療用ユニットであって、前記ユニット本体は、歯科診療用装置であることを特徴とする。
【００２０】
かかる構成によると、フットコントローラの非使用状態では、フットコントローラ設置部は、上方に回動される。したがって、非使用時にフットコントローラ及びフットコントローラ設置部が邪魔にならず、フットコントローラ設置部を紛失するおそれがない。
【００２１】
また、請求項９に記載の発明は、フットコントローラを備えた医療用ユニットを設置可能な設置台であって、前記医療用ユニットの本体を設置可能な設置台本体と、前記設置台本体に、上下に回動可能に連結されたフットコントローラ設置部と、を備え、前記フットコントローラの使用状態では、前記フットコントローラ設置部の一面が床面に接地し、前記フットコントローラが、前記フットコントローラ設置部の他面上に設置されることを特徴とする。
【００２２】
かかる構成によると、フットコントローラの非使用状態では、フットコントローラ設置部は、上方に回動される。したがって、非使用時にフットコントローラ及びフットコントローラ設置部が邪魔にならず、フットコントローラ設置部を紛失するおそれがない。
【発明の効果】
【００２３】
本発明によれば、非使用時にフットコントローラ及びフットコントローラ設置部が邪魔にならず、フットコントローラ設置部を紛失するおそれがない。
【発明を実施するための最良の形態】
【００２４】
続いて、本発明の実施形態について図面を参照しながら詳細に説明する。以下の説明において、ケーブルなどについては記載を省略して図面を簡略化するとともに、同一の要素には同一の番号を付し、重複する説明を省略する。
【００２５】
＜第一の実施形態＞
まず、本発明の第一の実施形態に係る医療用ユニット１Ａについて説明する。図１は、本発明の第一の実施形態に係る医療用ユニットを示す図であり、（ａ）は全体斜視図、（ｂ）は（ａ）の部分拡大図であり、フットコントローラ設置部を説明するための図である。図２は、本発明の第一の実施形態に係る医療用ユニットにおけるフットコントローラ設置部の利用方法を説明するための図であり、（ａ）はフットコントローラの使用状態を説明するための図、（ｂ）（ｃ）はフットコントローラの非使用状態を説明するための図である。なお、図１（ｂ）には、フットコントローラ３０Ａをフットコントローラ設置部２０Ａから除去した状態が示されている。
【００２６】
図１（ａ）に示すように、第一の実施形態に係る医療用ユニット１Ａは、医療用レーザ装置であり、ユニット本体１０Ａと、フットコントローラ設置部２０Ａと、フットコントローラ３０Ａと、を備えている。
【００２７】
ユニット本体１０Ａは、筐体部１１Ａと、マニピュレータ部１２と、４つのキャスター１３と、を備えている。
【００２８】
筐体部１１Ａは、医療用ユニット１Ａの制御を司る制御装置（図示せず）、レーザを発振するための発振器（図示せず）などを収容する筐体である。筐体部１１Ａは、操作パネル１１ａと、連結部１１ｂと、係止部１１ｃと、を備えている。
操作パネル１１ａは、筐体部１１Ａの上面に設けられたユーザインターフェースである。ユーザによる操作パネル１１ａへの入力は、制御装置へ出力される。連結部１１ｂは、板状の部材であり、筐体部１１Ａの一側面の下端部に設けられている。係止部１１ｃは、突起であり、筐体部１１Ａの一側面の連結部１１ｂ上方に設けられている。
【００２９】
マニピュレータ部１２は、筐体部１１Ａの上面に設けられている。マニピュレータ部１２は、関節部１２ａ，１２ｂを備えた受動的なアーム機構であり、先端部に設けられたレーザ照射部１２ｃを備えている。
レーザ照射部１２ｃは、発振器で発振されてマニピュレータ部１２内の光学系を介して伝達されたレーザを外部に照射する。ユーザの操作に応じて関節部１２ａ，１２ｂが所望の角度に設定されることにより、レーザ照射部１２ｃが所望の位置・向きに設定される。
【００３０】
４つのキャスター１３は、筐体部１１Ａの底面の四隅にそれぞれ設けられている。
これらのキャスター１３により、ユーザは、筐体部１１Ａを押して医療用ユニット１Ａを移動させることができる。
【００３１】
図１（ｂ）に示すように、フットコントローラ設置部２０Ａは、底面部２１と、側面部２２ａ，２２ｂと、突起２３ａ，２３ｂと、を備えている。
【００３２】
底面部２１は、基端部において、連結部１１ｂの下端部にヒンジＨを介して上下に回動可能に連結されている。フットコントローラ３０Ａの使用状態では、底面部２１の一面が床面Ｆに接地する下面となり、他面がフットコントローラ３０Ａの設置面である上面となる。底面部２１の先端部中央には、切欠き２１ａが形成されている。側面部２２ａ，２２ｂは、底面部２１の他面の左右両端部に設けられている。突起２３，２３は、底面部２１の他面の先端部に設けられている。
【００３３】
フットコントローラ設置部２０Ａは、ユーザによるフットコントローラ３０Ａの操作荷重に耐えられる強度を有しており、例えば、金属から形成される。
【００３４】
図１（ａ）に示すように、フットコントローラ３０Ａは、ユーザの足により操作されるペダルである。ユーザによるフットコントローラ３０Ａへの入力は、制御装置に出力される。本実施形態において、ユーザは、フットコントローラ３０Ａを操作することにより、レーザ照射部１２ｃによるレーザの照射のＯＮ／ＯＦＦを操作することができる。
【００３５】
続いて、第一の実施形態に係る医療用ユニット１Ａにおけるフットコントローラ設置部２０Ａの利用方法について説明する。
まず、フットコントローラ３０Ａの使用状態について説明する。図２（ａ）に示すように、ユーザは、フットコントローラ設置部２０Ａを回動させて下ろし、その先端部を床面Ｆに接地させる。そして、ユーザは、フットコントローラ３０Ａをフットコントローラ設置部２０Ａ上に設置する。この状態で、フットコントローラ３０Ａの左右への移動は側面部２２ａ，２２ｂにより規制されており、重力による滑落は突起部２３ａ，２３ｂにより規制されている。
【００３６】
続いて、フットコントローラ３０Ａの非使用状態について説明する。図２（ｂ）に示すように、ユーザは、フットコントローラ３０Ａをフットコントローラ設置部２０Ａから除去する。続いて、ユーザは、フットコントローラ設置部２０Ａを回動させて上げ、フットコントローラ設置部２０Ａの他面をユニット本体１１Ａの一側面に対向させる。続いて、図２（ｃ）に示すように、ユーザは、フットコントローラ３０Ａを係止部１１ｃに係止させる。本実施形態では、突起である係止部１１ｃがフットコントローラ３０Ａの底面に設けられた係止穴（図示せず）に挿入された状態で、フットコントローラ３０Ａが係止部１１ｃに係止される。
すなわち、フットコントローラ３０Ａの非使用状態では、フットコントローラ設置部２０Ａの他面が筐体部１１Ａの一側面に対向し、フットコントローラ３０Ａが、係止部１１ｃに係止された状態で、フットコントローラ設置部２０Ａの一面に対向する。
【００３７】
第一の実施形態に係る医療用ユニット１Ａは、以下の効果を奏する。
フットコントローラ３０Ａの非使用状態では、フットコントローラ設置部２０Ａは、上方に回動される。したがって、非使用時にフットコントコーラ３０Ａ及びフットコントローラ設置部２０Ａが邪魔にならず、フットコントローラ設置部２０Ａを紛失するおそれがない。
フットコントローラ３０Ａの非使用状態では、フットコントローラ３０Ａがフットコントローラ設置部２０Ａの下方への回動を規制する。したがって、フットコントローラ設置部２０Ａが下方へ回動して邪魔になることを防ぐことができる。
【００３８】
＜第二の実施形態＞
続いて、本発明の第二の実施形態に係る医療用ユニット１Ｂについて、第一の実施形態に係る医療用ユニット１Ａとの相違点を中心に説明する。図３は、本発明の第二の実施形態に係る医療用ユニットを示す図であり、（ａ）はフットコントローラの使用状態を示す側面図、（ｂ）はフットコントローラの非使用状態を示す側面図である。
【００３９】
図３（ａ）（ｂ）に示すように、第二の実施形態に係る医療用ユニット１Ｂは、筐体部１１Ａ、フットコントローラ設置部２０Ａおよびフットコントローラ３０Ａに代えて、筐体部１１Ｂ、フットコントローラ設置部２０Ｂおよびフットコントローラ３０Ｂを備えている。また、医療用ユニット１Ｂは、プッシュロック機構４０を備えている。
【００４０】
筐体部１１Ｂは、係止部１１ｃを備えておらず、連結部１１ｂに代えて連結部１１ｄを備えており、さらにフットコントローラ収容部１１ｅを備えている。
連結部１１ｄは、フットコントローラ３０Ｂをフットコントローラ収容部１１ｅに収容可能なように逃げた形状を呈している。フットコントローラ収容部１１ｅは、筐体部１１Ｂの一側面および底面に開口を有する箱状部分であり、フットコントローラ３０Ｂを収容可能な形状を呈している。
【００４１】
フットコントローラ設置部２０Ｂは、底面部２１に代えて底面部２４を備えており、側面部２２ａ，２２ｂおよび突起２３ａ，２３ｂを備えていない。また、底面部２４には、切欠き２１ａが形成されていない。
【００４２】
フットコントローラ３０Ｂは、底面部２４の他面に接着などにより固定されている。
【００４３】
プッシュロック機構４０は、筐体部１１Ｂとフットコントローラ設置部２０Ｂとを互いに固定／解除するための機構であり、第一の機構４１と、第二の機構４２と、を備えている。
第一の機構４１は、筐体部１１Ｂの一側面のフットコントローラ収容部１１ｅ上方に設けられており、第二の機構４２は、底面部２４の他面の先端側に設けられている。
【００４４】
続いて、第二の実施形態に係る医療用ユニット１Ｂにおけるフットコントローラ設置部２０Ｂの利用方法について説明する。
まず、フットコントローラ３０Ｂの使用状態について説明する。図３（ａ）に示すように、ユーザは、フットコントローラ設置部２０Ｂを回動させて下ろし、その先端部を床面Ｆに接地させる。フットコントローラ３０Ｂは、フットコントローラ設置部２０Ｂに固定されている。
【００４５】
続いて、フットコントローラ３０Ｂの非使用状態について説明する。図３（ｂ）に示すように、ユーザは、フットコントローラ設置部２０Ｂを回動させて上げ、フットコントローラ３０Ｂをフットコントローラ収容部１１ｅに収容させる。
【００４６】
そして、ユーザが、フットコントローラ設置部２０Ｂを筐体部１１Ｂに押し付けると、プッシュロック機構４０の第一の機構４１および第二の機構４２が係合し、ロック状態となる。
フットコントローラ３０Ｂを使用する場合には、ユーザがフットコントローラ設置部２０Ｂを筐体部１１Ｂに再度押し付けることにより、プッシュロック機構４０の第一の機構４１および第二の機構４２の係合が解除され、フットコントローラ設置部２０Ｂが回動可能となる。
【００４７】
第二の実施形態に係る医療用ユニット１Ｂは、以下の効果を奏する。
フットコントローラ設置部２０Ｂを上方へ回動させることにより、フットコントローラ３０Ｂを収容することができる。したがって、フットコントローラ３０Ｂを容易に収容することができる。
プッシュロック機構４０を備えているので、フットコントローラ３０Ｂの非使用状態においてフットコントローラ設置部２０Ｂを固定でき、フットコントローラ設置部２０Ｂを押すだけでフットコントローラ３０Ｂの使用状態となる。かかる操作は、ユーザの足でも可能である。したがって、フットコントローラ設置部２０Ｂの操作が容易となる。
なお、プッシュロック機構４０としては、磁石を利用したものなど、公知のプッシュロック機構を使用可能である。
【００４８】
＜第三の実施形態＞
続いて、本発明の第三の実施形態に係る医療用ユニット１Ｃについて、第一の実施形態に係る医療用ユニット１Ａとの相違点を中心に説明する。図４は、本発明の第三の実施形態に係る医療用ユニットを示す平面図である。
【００４９】
図４に示すように、第三の実施形態に係る医療用ユニット１Ｃは、フットコントローラ設置部２０Ａに代えてフットコントローラ設置部２０Ｃを備えている。
フットコントローラ設置部２０Ｃは、連結部２５と、底面部２６と、側面部２７ａ，２７ｂと、突起２８ａ，２８ｂと、を備えている。
連結部２５の基端部は、ヒンジＨを介して連結部１１ｂ（図１（ａ）参照）と連結されており、連結部２５の先端部は、ピンＰを介して底面部２６の基端部と左右に回動可能に連結されている。
底面部２６、側面部２７ａ，２７ｂおよび突起２８ａ，２８ｂは、底面部２１、側面部２２ａ，２２ｂおよび突起２３ａ，２３ｂとほぼ同様の構成であるので、説明を省略する。
【００５０】
第四の実施形態に係る医療用ユニット１Ｃは、以下の効果を奏する。
フットコントローラ３０Ａをユーザの所望する向きとすることができる。
【００５１】
＜第四の実施形態＞
続いて、本発明の第四の実施形態に係る医療用ユニットについて、第一の実施形態に係る医療用ユニット１Ａとの相違点を中心に説明する。図５は、本発明の第四の実施形態に係る医療用ユニットを示す図であり、（ａ）はフットコントローラ側のキャスターが接地している状態を示す側面図、（ｂ）はフットコントローラ側のキャスターが浮いている状態を示す側面図である。
【００５２】
図５（ａ）に示すように、第四の実施形態に係る医療用ユニット１Ｄは、ストッパＳをさらに備えている。
ストッパＳは、連結部１１ｂに取り付けられたＬ字状の部材であり、フットコントローラ設置部２０Ａがフットコントローラ３０Ａの使用状態における位置よりも下方に回動するのを規制する。
【００５３】
第四の実施形態に係る医療用ユニット１Ｄは、以下の効果を奏する。
図５（ｂ）に示すように、ユーザは、フットコントローラ３０Ａ側のキャスター１３を浮かせることにより、フットコントローラ設置部２０Ａを床面Ｆから浮かせることができる。したがって、ユーザは、フットコントローラ３０Ａの使用状態のままであっても、フットコントローラ設置部２０Ａを浮かせた状態で医療用ユニット１Ｄを移動させることができる。
【００５４】
＜第五の実施形態＞
続いて、本発明の第五の実施形態に係る医療用ユニットについて、第一の実施形態に係る医療用ユニット１Ａとの相違点を中心に説明する。図６は、本発明の第五の実施形態に係る医療用ユニットを底面側から見た斜視図である。
【００５５】
図６に示すように、第五の実施形態に係る医療用ユニット１Ｅは、フットコントローラ設置部２０Ａに代えてフットコントローラ設置部２０Ｅを備えている。
フットコントローラ設置部２０Ｅは、底面部２１、側面部２２，２２および突起２３，２３を備えており、摺動部材２９ａ，２９ｂをさらに備えている。
摺動部材２９ａ，２９ｂは、床面Ｆとの間で高い摺動性を発揮する摺動材料（例えばＰＯＭ、ＰＴＦＥ、ＰＦＡ等の樹脂）から形成されており、底面部２１の一面の先端部に接着などにより固定されている。フットコントローラ３０Ａの使用状態では、摺動部材２９ａ，２９ｂが床面Ｆに接地する。
【００５６】
第五の実施形態に係る医療用ユニット１Ｅは、以下の効果を奏する。
フットコントローラ設置部２０Ｅと床面Ｆとの滑り性が向上するので、フットコントローラ設置部２０Ｅを浮かせなくても、医療用ユニット１Ｅのスムーズな移動が実現される。
【００５７】
＜第六の実施形態＞
続いて、本発明の第六の実施形態に係る医療用ユニットについて説明する。図７は、本発明の第六の実施形態に係る医療用ユニットを示す斜視図である。
【００５８】
図７に示すように、第六の実施形態に係る医療用ユニット１Ｆは、歯科用診療装置であり、歯科用診療装置の一例としての患者用椅子１０Ｆと、フットコントローラ設置部２０Ｆと、フットコントローラ３０Ｆと、を備えている。さらに、第六の実施形態に係る医療用ユニット１Ｆは、口腔内の照明として使用される無影灯５１と、患者のうがいに使用されるスピットン５２と、アシスタントハンガー５３と、手術用テーブルであるドクターテーブル５４と、アシスタントハンガー５３に掛けられ、口腔内に溜まる唾液、血液、注水等を吸引排除するバキュームチップ５５と、アシスタントハンガー５３に掛けられ、口腔内に溜まる唾液、水等を吸引排除する排唾管チップ５６と、洗浄及び乾燥に使用されるシリンジ５７と、歯牙の切削に使用されるエアータービンハンドピース５８と、装置のコントロールパネルであるドクター側パネルスイッチ部５９と、歯牙及び金属の切削に使用されるマイクロモータ６０と、を備えている。
【００５９】
フットコントローラ設置部２０Ｆは、基端部において、患者用椅子１０Ｆの基部１４Ｆの背面下端部にヒンジ（図示せず）を介して上下に回動可能に連結されている。
フットコントローラ３０Ｆは、フットコントローラ設置部２０Ｆの他面に磁力、ネジ止め、接着などにより固定されている。
【００６０】
患者用椅子１０Ｆの基部１４Ｆの背面には、フットコントローラ収容部１４ａが設けられている。フットコントローラの非使用時には、ユーザは、フットコントローラ設置部２０Ｆを回動させて上げ、フットコントローラ３０Ｆをフットコントローラ収容部１４ａに収容させる。
【００６１】
第六の実施形態に係る医療用ユニット１Ｆは、以下の効果を奏する。
フットコントローラ３０Ｆの非使用状態では、フットコントローラ設置部２０Ｆは、上方に回動される。したがって、非使用時にフットコントローラ設置部２０Ｆが邪魔にならず、フットコントローラ設置部２０Ｆを紛失するおそれがない。
フットコントローラ設置部２０Ｆを上方へ回動させることにより、フットコントローラ３０Ｆを収容することができる。したがって、フットコントローラ３０Ｆを容易に収容することができる。
【００６２】
＜第七の実施形態＞
続いて、本発明の第七の実施形態に係る医療用ユニットについて、第六の実施形態に係る医療用ユニット１Ｆとの相違点を中心に説明する。図８は、本発明の第七の実施形態に係る医療用ユニットを示す斜視図である。
【００６３】
図８に示すように、第七の実施形態に係る医療用ユニット１Ｇのフットコントローラ設置部２０Ｇは、基端部において、患者用椅子１０Ｇの基部１４Ｇの一側面後下端部にヒンジ（図示せず）を介して上下に回動可能に連結されている。
医療用ユニット１Ｇのフットコントローラ３０Ｇは、フットコントローラ設置部２０Ｇの他面に磁力、ネジ止め、接着などにより固定されている。
【００６４】
患者用椅子１０Ｇの基部１４Ｇの背面には、フットコントローラ収容部１４ｂが設けられている。フットコントローラの非使用時には、ユーザは、フットコントローラ設置部２０Ｇを回動させて上げ、フットコントローラ３０Ｇをフットコントローラ収容部１４ｂに収容させる。
【００６５】
＜第八の実施形態＞
続いて、本発明の第八の実施形態に係る設置台について説明する。図９は、本発明の第八の実施形態に係る設置台を示す斜視図である。
【００６６】
図９に示すように、第八の実施形態に係る設置台１０１は、医療用ユニット１Ｈを設置するための台であり、設置台本体１１０と、フットコントローラ設置部１２０と、を備えている。
【００６７】
医療用ユニット１Ｈは、医療用ユニットの本体１０Ｈ（本実施形態では、半導体レーザ装置）と、医療用ユニットの本体１０Ｈに電気的に接続されたフットコントローラ３０Ｈとを備えている。
【００６８】
設置台本体１１０は、筐体部１１１と、４つのキャスター１１３と、把持部１１４と、を備えている。
筐体部１１１は、医療用ユニットの本体１０Ｈが設置される台であり、フットコントローラ収容部１１１ｅを備えている。
４つのキャスター１１３は、筐体部１１１の底面の四隅にそれぞれ設けられており、把持部１１４は、筐体部１１１の上部に設けられている。
これらのキャスター１１３が設けられているので、ユーザは、把持部１１４を掴んで押すことにより、設置台１０１を移動させることができる。
【００６９】
また、設置台１０１は、プッシュロック機構１４０を備えている。
プッシュロック機構１４０は、筐体部１１１とフットコントローラ設置部１２０とを互いに固定／解除するための機構であり、第一の機構１４１と、第二の機構１４２と、を備えている。
第一の機構１４１は、筐体部１１１の一側面のフットコントローラ収容部１１１ｅ上方に設けられており、第二の機構１４２は、フットコントローラ設置部１２０の他面の先端側に設けられている。
【００７０】
フットコントローラ設置部１２０は、設置台本体１１０の筐体部１１１の下端部に上下に回動可能に連結されている。
【００７１】
続いて、第八の実施形態に係る設置台１０１におけるフットコントローラ設置部１２０の利用方法について説明する。
まず、フットコントローラ３０Ｈの使用状態について説明する。図９に示すように、ユーザは、フットコントローラ設置部１２０を回動させて下ろし、その先端部を床面に接地させる。フットコントローラ３０Ｈは、フットコントローラ設置部１２０に固定されている。
【００７２】
続いて、フットコントローラ３０Ｈの非使用状態について説明する。ユーザは、フットコントローラ設置部１２０を回動させて上げ、フットコントローラ３０Ｈをフットコントローラ収容部１１１ｅに収容させる。
【００７３】
そして、ユーザが、フットコントローラ設置部１２０を筐体部１１１に押し付けると、プッシュロック機構１４０の第一の機構１４１および第二の機構１４２が係合し、ロック状態となる。
フットコントローラ３０Ｈを使用する場合には、ユーザがフットコントローラ設置部１２０を筐体部１１１に再度押し付けることにより、プッシュロック機構１４０の第一の機構１４１および第二の機構１４２の係合が解除され、フットコントローラ設置部１２０が回動可能となる。
【００７４】
第八の実施形態に係る設置台１０１は、以下の効果を奏する。
フットコントローラ設置部１２０を上方へ回動させることにより、フットコントローラ３０Ｈを収容することができる。したがって、フットコントローラ３０Ｈを容易に収容することができる。
プッシュロック機構１４０を備えているので、フットコントローラ３０Ｈの非使用状態においてフットコントローラ設置部１２０を固定でき、フットコントローラ設置部１２０を押すだけでフットコントローラ３０Ｈの使用状態となる。かかる操作は、ユーザの足でも可能である。したがって、フットコントローラ設置部１２０の操作が容易となる。
なお、プッシュロック機構１４０としては、磁石を利用したものなど、公知のプッシュロック機構を使用可能である。
【００７５】
以上、本発明の実施形態について適宜図面を参照して説明したが、本発明は前記実施形態に限定されず、本発明の要旨を逸脱しない範囲で適宜設計変更可能である。
例えば、各実施形態の構成を適宜組み合わせることにより、各実施形態の効果を奏することが可能な医療用ユニットを実現することができる。
【００７６】
例えば、第一の実施形態における係止部１１ｃの形状や、係止部１１ｃとフットコントローラ３０Ａとの係止手法は、図示したものに限定されない。例えば、図１０に示すように、本発明の変形例に係る医療用ユニット１Ｊは、フットコントローラ３０Ａとユニット本体の筐体部１１Ｊとを接続するケーブルＣを、筐体部１１Ｊの側面に、係止部１１ｃに代えて設けられた突起である係止部１１ｆに係止することにより、フットコントローラ設置部２０Ａをフットコントローラ３０Ａで止める構成であってもよい。
また、第六、第七の実施形態に係る医療用ユニット１Ｆ，１Ｇに対して、第二の実施形態に係るプッシュロック機構４０を適用する構成であってもよい。
【００７７】
従来の医療用ユニットでは、フットコントローラとして無線フットコントローラを用いる場合には、ユニット本体と無線フットコントローラとをつなぐケーブルがないため、無線フットコントローラを紛失するおそれがあった。本発明の医療用ユニットによると、非使用時に無線フットコントローラをユニット本体に邪魔にならないように組み付けておくことができるので、無線フットコントローラを紛失するおそれがない。
【００７８】
また、プッシュロック機構４０，１４０に代えて、筐体部１１Ｂ，１１１とフットコントローラ設置部２０Ｂ，１２０とを互いに固定／解除するための他の固定機構を用いることができる。
また、本発明の設置台は、第八の実施形態に限定されず、第一〜第五の実施形態に係る医療用ユニットの構造を適宜採用することができる。
【図面の簡単な説明】
【００７９】
【図１】本発明の第一の実施形態に係る医療用ユニットを示す図であり、（ａ）は全体斜視図、（ｂ）は（ａ）の部分拡大図であり、フットコントローラ設置部を説明するための図である。
【図２】本発明の第一の実施形態に係る医療用ユニットにおけるフットコントローラ設置部の利用方法を説明するための図であり、（ａ）はフットコントローラの使用状態を説明するための側面図、（ｂ）（ｃ）はフットコントローラの非使用状態を説明するための側面図である。
【図３】本発明の第二の実施形態に係る医療用ユニットを示す図であり、（ａ）はフットコントローラの使用状態を示す側面図、（ｂ）はフットコントローラの非使用状態を示す側面図である。
【図４】本発明の第三の実施形態に係る医療用ユニットを示す平面図である。
【図５】本発明の第四の実施形態に係る医療用ユニットを示す図であり、（ａ）はフットコントローラ側のキャスターが接地している状態を示す側面図、（ｂ）はフットコントローラ側のキャスターが浮いている状態を示す側面図である。
【図６】本発明の第五の実施形態に係る医療用ユニットを底面側から見た斜視図である。
【図７】本発明の第六の実施形態に係る医療用ユニットを示す斜視図である。
【図８】本発明の第七の実施形態に係る医療用ユニットを示す斜視図である。
【図９】本発明の第八の実施形態に係る設置台を示す斜視図である。
【図１０】本発明の変形例に係る医療用ユニットを示す斜視図である。
【符号の説明】
【００８０】
１Ａ〜１Ｊ  医療用ユニット
１０Ａ  ユニット本体
１３    キャスター
２０Ａ〜２０Ｃ，２０Ｅ，２０Ｆ，２０Ｇ  フットコントローラ設置部
３０Ａ，３０Ｂ，３０Ｆ，３０Ｇ  フットコントローラ
１０１  設置台
１１０  設置台本体
１２０  フットコントローラ設置部
【図１】
2008161440.tif 000003
【図２】
2008161440.tif 000004
【図３】
2008161440.tif 000005
【図４】
2008161440.tif 000006
【図５】
2008161440.tif 000007
【図６】
2008161440.tif 000008
【図７】
2008161440.tif 000009
【図８】
2008161440.tif 000010
【図９】
2008161440.tif 000011
【図１０】
2008161440.tif 000012